(57)【要約】      （修正有）【課題】ある一定力以上の押圧力が掛かると瞬時にショック力が作用し、押圧部分の筋肉等により強度な刺激を与え、ツボ押し効果を高める構造を有する押圧式健康器具を安価に提供する。【解決手段】中空の穴を有する把持部１と、把持部の中空の穴に一定突出量を保持して摺動自在に配置した先端２を丸め後端に凹状のくぼみを設けた先軸２と、先端に凸部を形成した後軸３を配備し、先軸と後軸との間にそれぞれに設けた切り欠きに端部を係合させたショック誘導コイルスプリング４を外通し、後軸３と把持部１の中空穴末端に螺合した尾栓６との間に後コイルスプリング５を弾接して構成するので、先軸を身体部位に押し当て、そのツボを押圧する段階で、ある一定の距離の押圧後、一気にショック機構が作動し、押圧している身体部位へそのショックが伝達し、押圧部分の筋肉等により強度な刺激を与え、ツボ押し効果を高める効果が発揮される。【選択図】図１
0003156115.tif 000002
【実用新案登録請求の範囲】
【請求項１】
中空の穴を有する把持部と、把持部の中空の穴に一定突出量を保持して摺動自在に配置した先端を丸め後端に凹状のくぼみを設けた先軸と、先端に凸部を形成した後軸と、先軸と後軸との間にそれぞれに設けた切り欠きに端部を係合させたショック誘導コイルスプリングを外通し、後軸後部段部と把持部の中空穴末端に螺合した尾栓先端との間に後コイルスプリングを弾接して構成された把持型押圧式健康器具。
【考案の詳細な説明】
【技術分野】
【０００１】  本考案は、手のひらあるいは足の裏等用の押圧式健康器具に関する。さらに詳しくは、本考案は、専門施術者によらなくても一人でも容易に手のひらや足の裏等のマッサージ効果などを得ることができる把持型押圧式健康器具に関する。
【背景技術】
【０００２】  手のひらや足の裏は、身体の臓器、神経などの各部位の健康状態が反映されている典型的な部位であり、従って、身体の各部位に通じた手のひらや足の裏にある所謂ツボ（経穴）、或いは反射ゾーン（反射区）を押したり、こすったり、マッサージすることで刺激をしてその部位の健康状態を把握できたり、またこのような刺激によって刺激を受けた部位の機能が活性化して健康維持や、さらには病気の予防、治療にも役立つことはよく知られている。一般的には最も知られている方法としては、手の指を使って患部を押圧する方法があるが、この方法では押圧する指等に疲労がかかる。また、棒状のもので患部を押圧する方法も良く知られているところであるが、これらツボを押圧する道具として従来から、所謂、先端を丸めた単なる棒状の物品のもの、また、ハンディーマッサージャーなるバイブレータの振動を与えるもの、押圧部にスプリングを介して押圧力調整が可能なもの、さらには圧電体に打撃を加えて発生する電気で患部を治療するようなタイプなど、さまざまな構造を有した押圧器具が提案されている。
【先行技術文献】
【特許文献】
【０００３】
【特許文献１】実用新案登録第３０９３９６３号公報
【特許文献２】公開特許第２０００−５３２５号公報
【特許文献３】公開実用新案第平６−６６６７６号公報
【特許文献４】実用新案登録第３０８３３２９号公報
【非特許文献】
【０００４】
【非特許文献１】ケンコーコム  ｈｔｔｐ：／／ｗｗｗ．ｋｅｎｋｏ．ｃｏｍ／ｐｒｏｄｕｃｔ／ｓｅｉｂｕｎ／ｓｅｉ＿７２１１７０．ｈｔｍｌ
【考案の概要】
【考案が解決しようとする課題】
【０００５】  これら従来からあるツボを押圧する道具としての所謂先端を丸めた単なる棒状の物品のものにおいては、押圧力が弱いと刺激効果が薄れ、押圧力が強すぎると押圧された部位に過度の刺激が加わり無用の痛みを生じさせるなどの不具合があり、一定の圧力維持が難しく、また、ハンディーマッサージャーなるバイブレータの振動を与えるものにおいては、そもそも器具自体に電気的振動発生装置などが必要でどうしても高価なものになってしまうなどの欠点があり、押圧部にスプリングを介して押圧力調整が可能なものについてはことさら棒状指圧器と効果が大幅に変わるものではないし、さらには圧電体に打撃を加えて発生する電気で患部を治療するようなタイプでは構造が複雑かつ高価な器具となり、いずれも一長一短を有する。本考案は、ある一定力以上の押圧力が掛かると瞬時にショック力が作用し、押圧部分の筋肉等により強度な刺激を与え、ツボ押し効果を高める構造を有する押圧式健康器具を安価に提供することを目的とする。
【課題を解決するための手段】
【０００６】  請求項１の本考案は、中空の穴を有する把持部と、把持部の中空の穴に一定突出量を保持して摺動自在に配置した先端を丸め後端に凹状のくぼみを設けた先軸と、先端に凸部を形成した後軸を配備し、先軸と後軸との間にそれぞれに設けた切り欠きに端部を係合させたショック誘導コイルスプリングを外通し、後軸と把持部の中空穴末端にねじ込んで取り付けた尾栓との間にも後コイルスプリングを設けて構成された把持型押圧式健康器具である。
【考案の効果】
【０００７】  本考案の把持型押圧式健康器具を身体部位に押し当て、そのツボを押圧する段階で、ある一定の距離の押圧後、一気にショック機構が作動し、押圧している身体部位へそのショックが伝達し、押圧部分の筋肉等により強度な刺激を与え、ツボ押し効果を高める効果が発揮される。
【図面の簡単な説明】
【０００８】
【図１】本考案の把持型押圧式健康器具の好ましい一例の構造図である。
【図２】図１における本考案の先軸後端に設けた凹部２２のＡＡ’断面図と、後軸先端に設けた凸部３２のＢＢ’断面図を表し、それぞれの初期状態での位相差αを有する関係を示す図である。
【考案を実施するための形態】
【０００９】  本考案を、図面を参照しながら説明する。
図１は、本考案の把持型押圧式健康器具の好ましい一例の構造図であり、身体部位７のツボを押圧する際は、把持部１を持って先軸２の先端を手のひらや足の裏等の身体部位７に押し付け、そのまま把持部１を身体部位７に向けて押していくと、その一端を先軸２の切り欠き２１に勘合させもう一端を後軸の切り欠き３１に勘合させたショック誘導コイルスプリング４が収縮しながら後軸３を押し、同時に後軸３と尾栓６との間に係合している後コイルスプリング５をも収縮させていく。該後コイルスプリング５は該ショック誘導コイルスプリング４よりも強い弾力を有している。そのうちに面取りされた先軸２の後端の凹部２２先端に、円周方向にわずかな角度αで傾いている後軸３の先端凸部３２の角が当接する。この時点での先軸２の後端の凹部２２と後軸３の先端凸部３２とのラジアル方向の位置関係は図２に示したように、わずかな角度αだけ位相差を有している。なおも先軸２を押しこんでいくと、先軸２は身体部位７に押し付けられているため回転方向の動きはしないが、該後軸３の凸部３２の角が該先軸２の凹部２２の面取り部に食い込もうとしてラジアル方向に捩じられながら係合していくような動きをする。このときショック誘導コイルスプリング４はその性質上負荷を持って捩じられることとなり、後軸３が先軸２に対して相対的に捩じられ、やがて先軸２の該凹部２２と後軸３の該凸部３２が一致するやいなや、つまり角度αが限りなく０に近づいた時に、収縮していた後スプリング５の反発力で一気に後軸３が先軸２方向に反動し、該凹部２２と該凸部３２が一致して該凸部３２が該凹部２２に瞬間的にもぐりこむこととなる。これがショックとなって先軸２に伝わり、ひいては押圧している身体部位７へショックとして伝達することとなる。身体部位７への押圧力を解除してあげれば、すべては初期の状態に復元する。この一連の動作を繰り返し行うことで、より効果的な身体部位へのマッサージ効果を高めることができる。
【実施例】
【００１０】  本考案の把持型押圧式健康器具の好ましい一例が図１に示した構造図であり、実施例では先軸２の後端は凹部２２で後軸３の先端は凸部３２であるが、これに限定することなく、たとえばそれぞれが中心軸で半割した、相対する半月状の凸状片でも良く、あるいはそれぞれが十文字状の凹凸でもよく、形状に限定されるものではない。また実施例では、尾栓６は把持部１の後端内側にネジ込み式になっており、尾栓６を回すことにより後スプリングの弾発力調整ができるようになっており、構造上からも把持部１の内部装置類の組み付けにも有効であるが、尾栓は把持部と一体であって把持部が分割結合できる構造であってもよい。また、先軸２と後軸３の材質は好ましくは堅い材質で構成され、堅い木材、或いは堅いプラスティックでも有効であるが、最も好ましくは強度並びに耐久力に優れた金属で構成されるようにする。把持部１及び尾栓６の材質は木材、プラスティック、或いは軽い金属で構成されるようにする。
【符号の説明】
【００１１】１    把持部
２    先軸
３    後軸
４    ショック誘導コイルスプリング
５    後コイルスプリング
６    尾栓
７    身体部位
２１  先軸部切り欠き
２２  凹部
３１  後軸部切り欠き
３２  凸部
【図１】
0003156115.tif 000003
【図２】
0003156115.tif 000004